(57)【要約】  第１および第２のライナーシートの間に挟まれた中核を含む閉鎖セルボードであって、該第２のライナーシートが、第１のライナーシートより強固な構造を有する、あるいはその逆もまた同様である。
2013541476.tif 000002
【特許請求の範囲】
【請求項１】
第１および第２のライナーシートの間に挟まれた中核を含む閉鎖セルボードであって、前記第２のライナーシートが、前記第１のライナーシートより強固な構造を有する、あるいはその逆もまた同様であることを特徴とする閉鎖セルボード。
【請求項２】
中核の両側に第１および第２のライナーシートを有する閉鎖セル複合ボードのシートから保護縁部を製造する方法であって、
ａ）前記閉鎖セルボードの
−前記第１のライナーシートと、
−前記中核を貫通する１本の線を切り込むことで、前記ボードの主要な軸に沿って延在する、あるいはそれと平行するスリットを形成するが、前記スリットが前記第２のライナーシートを貫通しないステップと、
を含むことを特徴とする方法。
【請求項３】
前記方法がさらに、
ｂ）前記閉鎖セルボードを前記スリットに沿って折り畳むことで、互いに対して角度を成す第１および第２の側部を形成し、前記スリットが前記保護縁部の外側コーナーを形成するステップを含むことを特徴とする請求項２に記載の方法。
【請求項４】
中核の両側に第１および第２のライナーシートを有する閉鎖セルボードのシートまたはストリップから保護シュラウドを製造する方法であって、
ａ）前記閉鎖セルボードの前記第１のライナーシートと中核を貫通するように少なくとも２本の平行な線を切り込むことで、１本の共通の軸に平行なスリットを形成するが、前記スリットが前記第２のライナーシートを貫通しないステップ
を含むことを特徴とする方法。
【請求項５】
実質的に上記に記載した方法であって、
ｂ）前記閉鎖セルボードを各々のスリットに沿って折り畳むことで、互いに対して角度を成す３つ以上の側部を形成し、前記スリットが、前記保護縁部の１つまたは複数の外側コーナーを形成するステップ
をさらに含むことを特徴とする方法。
【請求項６】
中核の両側に第１および第２のライナーシートを含む閉鎖セルボードのシートまたはストリップから製造された保護シュラウドの素材板であって、閉鎖セルボードの前記シートまたはストリップが、
−Ｕ字型チャネルを後で形成するための２つの平行なスリット、または
−スリーブを後で形成するための３つ以上の平行なスリットを含んでおり、
前記スリットが、前記閉鎖セルボードの前記第１のライナーシートと中核を貫通するように切り込まれ、前記スリットが前記第２のライナーシートを貫通しない保護シュラウドの素材板。
【請求項７】
平面と、中核の両側に第１および第２のライナーシートを含む閉鎖セルボードのシートから製造される保護シュラウドの素材板であって、前記平面の少なくとも１つの縁部に沿って形成されるのが、
−Ｕ字型チャネルを後で形成するための２つの平行なスリット、あるいは
−スリーブを後で形成するための３つまたは４つの平行なスリットであり、
前記スリットが、前記閉鎖セルボードの前記第１のライナーシートと中核を貫通するように切り込まれ、前記スリットが前記縁部に平行であり、前記スリットが、前記第２のライナーシートを貫通しない保護シュラウドの素材板。
【請求項８】
中核の両側に第１および第２のライナーシートを含む閉鎖セルボードのシートまたはストリップから作成される保護シュラウドであって、閉鎖セルボードの前記シートまたはストリップが、
−Ｕ字型チャネルを後で形成するための２つの平行なスリット、または
−スリーブを後で形成するための３つ以上の平行なスリットを含んでおり、
前記スリットが、前記閉鎖セルボードの前記第１のライナーシートと中核を貫通するように切り込まれ、前記スリットが、前記第２のライナーシートを貫通せず、前記Ｕ字型チャネルおよび／または前記スリーブが、前記閉鎖セルボードの前記第１のライナーシートと中核を貫通するように切り込まれた前記平行なスリットに沿って折り畳むことによって形成される分割部の形態の外側コーナー縁部を有することを特徴とする保護シュラウド。
【請求項９】
平面と、中核の両側に第１および第２のライナーシートを含む閉鎖セルボードのシートから製造される保護シュラウドであって、前記平面の少なくとも１つの縁部に沿って形成されるのが、
−２つの平行なスリットから形成される少なくとも１つのＵ字型チャネルおよび／または、
−３つ以上の平行なスリットから形成される少なくとも１つのスリーブであり、
前記スリットが、前記閉鎖セルボードの前記第１のライナーシートと中核を貫通するように切り込まれ、前記スリットが前記縁部に平行であり、前記スリットが、前記第２のライナーシートを貫通せず、前記Ｕ字型チャネルおよび／または前記スリーブが、前記閉鎖セルボードの前記第１のライナーシートと中核を貫通するように切り込まれた前記平行なスリットに沿って折り畳むことによって形成される分割部の形態の外側コーナー縁部を有することを特徴とする保護シュラウド。
【請求項１０】
対象物または対象物の縁部を保護する目的で、請求項８または請求項９に記載された閉鎖セルボードのシートから製造された保護縁部または保護シュラウドの利用。
【請求項１１】
−容器の本体部分を形成する少なくとも１つのスリーブと、
−容器のベースを形成する少なくとも１つのＵ字型チャネルと、
を備える閉鎖セルボードの容器であって、
前記スリーブと前記Ｕ字型チャネルが、前記閉鎖セルボードの前記第１のライナーシートと中核を貫通するように切り込まれた平行な線によって形成されることで、前記閉鎖セルボードの１本の共通の軸に平行なスリットを形成し、前記スリットが、前記第２のライナーシートを貫通せず、前記Ｕ字型チャネルおよび／またはスリーブが、前記閉鎖セルボードの前記第１のライナーシートと中核を貫通するように切り込まれた前記平行なスリットに沿って折り畳むことによって形成される分割部の形態の外側コーナー縁部を有することを特徴とする閉鎖セルボードの容器。
【請求項１２】
保護用包装システムであって、
−使用中、対象物の少なくとも１つの縁部または側部ならびに１つの面を保護することができることを特徴とする、請求項６〜９のいずれか一項に記載の少なくとも１つの保護シュラウドを含む保護用包装システム。
【請求項１３】
前記保護シュラウドが、Ｕ字型チャネルまたはスリーブとして形成される少なくとも１つの平面と、少なくとも１つの縁部とを有することを特徴とする、実質的に請求項１２に記載される保護用包装システム。
【発明の詳細な説明】
【技術分野】
【０００１】
関連する出願の記述
本出願は、特許文献１に関連して提出された仮の明細書に基づくものであり、その全内容が参照により本明細書に組み込まれている。
【０００２】
本発明は、包装およびそれに関連する改良に関する。特に、保護縁部および包装システムならびにそれに関連する改良は、シュラウド、コーナーボード、Ｕ字型ボード、管ボードおよびスリーブを含む閉鎖セルボードを利用する。
【背景技術】
【０００３】
定義
本明細書で使用される用語、閉鎖されたセルボードは、複合板ボードを指しており、これは、少なくとも１つの第１のライナーシートと、少なくとも１つの第２のライナーシートを有し、そのそれぞれがその間に複数のセルを有する中核を間に挟んでいる。よって閉鎖セルボードには、蜂の巣状の中核を有する蜂の巣状の板ボード、あるいは南アメリカのＸａｎｉｔａによって製造されるＸボード、またはＣｏｒｃｅｌによって製造される３Ｃ（登録商標）が含まれる。Ｘボードおよび３Ｃ（登録商標）ボードは、２枚のライナーシートの間に挟まれた単独または二重の面の波形の板ボードの隣接するストリップから製造され、その結果縦溝が垂直方向に伸びる（すなわち、縦溝チャネルが水平方向に配向された複合ボードの頂部ライナーシートから底部ライナーシートまで伸びる）中核を備える複合ボードである。
【０００４】
用語、閉鎖セルボードには、紙ベース以外の製品も含まれ、これに対して本発明は、これもまたいくつかのセルを備える中核を有するコアフルート（corflute）やフォームコアボードを含めた用途を有することができる。
【０００５】
本発明は一態様において、積載／荷下ろし作業または搬送中に発生するスキッドまたはパレット上の包装された貨物の損傷を避けるのに使用される保護縁部に関連している。
【０００６】
参照しやすくするために、ここでは本発明を紙製のコーナーボードに関連して記載するが、これは限定として解釈すべきではない。
【０００７】
紙製のコーナーボードは、様々な異なる方法で形成することができる。
【０００８】
典型的には紙製のコーナーボードは、複数のステップの工程により形成され、これには
１）一方のライナーシートと中核を貫通する１本の線を切り込むことで、例えばＣｏｒｃｅｌによって製造される波形複合板ボード３Ｃ（登録商標）あるいはＸａｎｉｔａによって製造されるＸボードなどの複合波形板ボードのストリップの中央長手軸に沿って伸びるスリットを形成するステップと、
２）このスリットの両側でチャネルを押しつぶす、あるいはスリットにＶ字型の壁を切り込むステップと、
３）チャネルに接着剤を塗布するステップと、
４）スコアラインの両側にある一方または両方の対向する縁部をスコアラインに向かって折り畳むことで、スコアラインの両側の間に直角を形成するステップと、
５）接着剤が固まるまで折り畳まれた長さの材料を所定の位置に保持することで、側面の間の直角を維持するステップと、が含まれる。
【０００９】
しかしながら、ここから分かるように、これは多くのステップを含むために時間がかかる工程であり、費用がかかるだけでなく有毒でもある接着剤（熱溶解接着剤を含む）を利用する必要があるため、製造工程において注意する必要がある。さらに、このような工程によって製造されるコーナーボードは、１つのユニットとしてしっかりと積み重ねて包装するようにひもが引っ張られる際、外側に広がりやすくなり、コーナーボードの側部が移動して、包装材の側面と接触するように位置合わせされた状態から外れることになる。
【００１０】
第１の外装シートと中核を貫通し、第２の外装シートの手前で止まり、閉鎖セルボードをスリッティングする工程は、従来技術で知られており、逆向きスリットスコア／スリットスコア製品が詳細に記載されているｗｗｗ．ｍｕｌｔｉｗａｌｌｐａｃｋａｉｎｇ．ｃｏｍの波型角度のページを参照されたい。示される製品は、本発明に似ているが使用法が異なっており、これは以下のウェブページからの引用で詳細に記載される。
【００１１】
逆向きスリットスコア／スリットスコア
逆向きスリットスコアは、一方の外装紙と中核材料を貫通するように切り込み、その後対向する外装紙を別の場所で切り込むことでパネル内でファンを折り畳む効果をもたらすことによって作成される。単独のスリットスコアは、一方の外装紙と中核全体を貫通するように切り込み、他方の外装紙をそのままにすることでパネル内に折り畳みヒンジを形成することによって作製される。
【００１２】
したがってこのファン折り畳みパネルを保護縁部として利用することは、上記に挙げたウェブサイトによって教示されたり企図されたりするものではない。
【先行技術文献】
【特許文献】
【００１３】
【特許文献１】ニュージーランド特許出願番号５８８９６７号
【発明の概要】
【発明が解決しようとする課題】
【００１４】
包装産業における別の問題は、ポリスチレン包装の安価で有効な代用品や代替品を生み出す必要があることである。具体的には搬送するおよび／または保管する必要がある壊れやすい物品を保護するのに使用することができる包装に関する解決法に対する要望がある。
【課題を解決するための手段】
【００１５】
本発明は一態様において、全てが閉鎖されたセルボードで作成された保護縁部、すなわちＵ字型チャネルやスリーブを含めたシュラウドを作製するための簡素化されたより効果的な製造方法を提供する。本発明の方法は、現在の製造工程を効率的に簡略化し、経験にそぐわないやり方でステップの順序を変えることで、より安価でより効果的な製品、例えばコーナーボードおよびＵ字型チャネルを含めた縁部プロテクタを創り出す。
【００１６】
本発明の逆向きのステップは、事前にスリットが形成されたボードを裏返しに折り畳むことでスリットが外側コーナーを形成するステップを効果的に含んでいる。
【００１７】
この概念は、コーナーボードに関連して記載した場合、最も簡単に最初に理解されるものであろう。本発明は、裏返しに折り畳む逆向きのステップを利用することで、スリットが、コーナーボードの外側コーナー（従来式に構築されたコーナーボードにおいて生じるものなどの保護された内側コーナーではなく）に位置付けられる。このように１つのステップを逆向きにすることで、従来の紙製のコーナーボードを作製するのに利用される他の多くの製造ステップが驚く程軽減される。
【００１８】
例えばコーナーボードなどの所与の縁部プロテクタを利用して、パレットやスキッド上に積み重ねられた箱などの縁部を保護する場合、コーナーボードの露出した外側のコーナー縁部として提示されるコーナーボードの最も脆弱な地点（例えばスリット）を有することは誰も直感的に考えないであろう。露出したスリットが紙製の閉鎖セルコーナーボードに必要な必須の強度を有することで、プラスチックのひも材料の縁部から包装材を保護することが分かったという事実は、驚くべき成果である。
【００１９】
本発明はまた、新しい形態の閉鎖セルボードに関するものであり、これは中核の両側に第１および第２のライナーシートを有し、第１および第２のライナーシートの相対的な厚さおよび／または強度は異なっている。例えば第１のライナーシートは、板ボードの１枚のシートを含んでもよく、第２のライナーシートは、板ボードの２枚以上のシートの積層体であってよい。
【００２０】
本発明は付加的に、保護縁部およびシュラウドを形成するための素材板に関する。
【００２１】
本発明はまた、ポリスチレン（ＥＰＳ）包装の代わりに使用することができる包装システムに関する。
【００２２】
新規のボード
本発明の別の態様によって、第１のライナーシートと第２のライナーシートの間に挟まれた中核を含む閉鎖セルボードが提供され、この場合、第２のライナーシートは、第１のライナーシートより強固な構造を有する、あるいはその逆もまた同様である。
【００２３】
好ましくは、閉鎖セルボードは紙で製造することができ、Ｃｏｒｃｅｌによって製造される３Ｃボード（登録商標）ｗｗｗ．ｃｏｒｃｅｌ．ｃｏｍと似ている場合もある。
【００２４】
保護縁部の製造方法
本発明の一態様によって、中核の両側に第１および第２のライナーシートを有する閉鎖セル複合ボードのシートから保護縁部を製造する方法が提供されており、方法は、以下の
ａ）閉鎖セルボードの第１のライナーシートと中核を貫通する１本の線を切り込むことで、ボードの主要な軸に沿って延在する、またはそれに平行するスリットを形成するが、該スリットが第２のライナーシートを貫通しないステップを含む。
【００２５】
これにより、平坦で、搬送や使用する前に保管する目的で積み重ねる際に余り空間を占有しない保護縁部素材板が作製される。
【００２６】
方法は、実質的に上記に記載した通りであり、方法はさらに以下の
ｂ）閉鎖セルボードをスリットに沿って折り畳むことで、互いに対して角度を成す第１および第２側部を形成し、スリットが保護縁部の外側コーナーを形成するステップを含む。
【００２７】
好ましくは、保護縁部はコーナーボードの形態であってよい。
【００２８】
保護シュラウドまたはその素材板を製造する方法
本発明はまた、保護シュラウドを作製する安価な方法を提供しており、この保護シュラウドは、
−スリーブまたはＵ字型チャネルの形態である、あるいは
−Ｕ字型チャネルまたはスリーブの形態の少なくとも１つの縁部を有するシート材料であってよく、
これを個別にあるいは組み合わせて使用することで、シュラウドによって覆われた対象物またはその一部を保護することができる。
【００２９】
本発明の一態様によって、中核の両側に第１および第２のライナーシートを有する閉鎖セルボードのシートまたはストリップから保護シュラウドを製造する方法が提供され、この方法は、
ａ）閉鎖セルボードの第１のライナーシートと中核を貫通する少なくとも２本の平行な線を切り込むことで、このボードの１本の共通の軸に平行なスリットを形成するが、該スリットが第２のライナーシートを貫通しないステップを含む。
【００３０】
これにより、平坦で、搬送や使用する前に保管する目的で積み重ねる際に余り空間を占有しないシュラウドの素材板が作製される。
【００３１】
方法は、実質的に上記に記載した通りの方法であり、方法は以下の
ｂ）閉鎖セルボードを各々のスリットに沿って折り畳むことで、互いに対して角度を成す３つ以上の側部を形成し、スリットが保護シュラウドの１つまたは複数の外側コーナーを形成するさらなるステップを含む。
【００３２】
保護シュラウドは好ましくは、スリーブまたはＵ字型チャネルであってよいが、１つまたは複数の縁部を有する平面材料のシートを含むことができ、これは上記の方法に従って扱うことによって、その他の点では平面であるシートの縁部に沿ってＵ字型チャネルまたはスリーブを形成する。
【００３３】
保護シュラウドおよびその素材板
本発明はまた、保護シュラウドを提供しており、これは、
−スリーブまたはＵ字型チャネルの形態であってよい、あるいは
−Ｕ字型チャネルまたはスリーブを含む少なくとも１つの縁部を有するシート材料の形態であってよく、
これを個別にあるいは組み合わせて使用することで、シュラウドによって覆われた対象物またはその一部を保護することができる。保護シュラウドを形成するために事前形成された素材板もまた、本発明に包含される。
【００３４】
シュラウドの素材板
本発明の別の態様によると、中核の両側に第１および第２のライナーシートを有する閉鎖セルボードのシートまたはストリップから製造された保護シュラウドの素材板が提供され、この場合閉鎖セルボードのシートまたはストリップは、
−Ｕ字型チャネルを後で形成するための２つの平行なスリット、または
−スリーブを後で形成するための３つ以上の平行なスリットを含んでおり、
スリットは、閉鎖セルボードの第１ライナーシートと中核を貫通するように切り込まれ、該スリットは第２のライナーシートを貫通しない。
【００３５】
シート状のシュラウドの素材板
本発明の別の態様により、平面と、中核の両側に第１および第２のライナーシートを含む閉鎖セルボードのシートから製造された保護シュラウドの素材板が提供され、この場合平面の少なくとも１つの縁部に沿って形成されるのは、
−Ｕ字型チャネルを後で形成するための２つの平行なスリット、あるいは
−スリーブを後で形成するための３つまたは４つの平行なスリットであり、
スリットは、閉鎖セルボードの第１のライナーシートと中核を貫通するように切り込まれ、該スリットは該縁部に平行であり、該スリットは第２のライナーシートを貫通しない。
【００３６】
シュラウド
本発明のさらに別の態様によって、中核の両側に第１および第２のライナーシートを含む閉鎖セルボードのシートまたはストリップから作成された保護シュラウドが提供され、この場合閉鎖セルボードのシートまたはストリップは、
−Ｕ字型チャネルを後で形成するための２つの平行なスリット、または
−スリーブを後で形成するための３つ以上の平行なスリットを含んでおり、
スリットは、閉鎖セルボードの第１のライナーシートと中核を貫通するように切り込まれ、該スリットは第２のライナーシートを貫通せず、該Ｕ字型チャネルおよび／または該スリーブは、閉鎖セルボードの第１のライナーシートと中核を貫通するように切り込まれた平行なスリットに沿って折り畳むことによって形成される分割部の形態の外側コーナー縁部を有する。
【００３７】
シート状シュラウド
本発明の別の態様によって、平面と、中核の両側に第１および第２のライナーシートを含む閉鎖セルボードのシートから製造された保護シュラウドが提供され、この場合平面の少なくとも１つの縁部に沿って形成されるのは、
−２つの平行なスリットから形成される少なくとも１つのＵ字型チャネルおよび／または
−３つ以上の平行なスリットから形成される少なくとも１つのスリーブであり、
スリットは、閉鎖セルボードの第１のライナーシートと中核を貫通するように切り込まれ、該スリットは該縁部に平行であり、該スリットは第２のライナーシートを貫通せず、前記Ｕ字型チャネルおよび／または該スリーブが、閉鎖セルボードの第１のライナーシートと中核を貫通するように切り込まれた平行なスリットに沿って折り畳むことによって形成される分割部の形態の外側のコーナー縁部を有する。
【００３８】
利用／利用方法
本発明のさらに別の態様によって、対象物または対象物の縁部を保護する目的で、概ね上記に記載した閉鎖セルボードのシートから製造された保護縁部または保護シュラウドを利用することが提供されている。
【００３９】
本発明の別の態様によって、概ね上記に記載した閉鎖セルボードのシートから製造された保護縁部または保護シュラウドを保護すべき対象物または対象物の縁部の周りに配置するステップを含む、対象物または対象物の縁部を保護する方法が提供されている。
【００４０】
容器
本発明の原理はまた、容器の製造に利用される場合もある。
【００４１】
本発明の別の態様によって、閉鎖セルボードの容器が提供されており、この容器は、
−  容器の本体部分を形成する少なくとも１つのスリーブと、
−  容器のベース部分を形成する少なくとも１つのＵ字型チャネルを備え、該スリーブと該Ｕ字型チャネルが、閉鎖セルボードの第１のライナーシートと中核を貫通するように切り込まれた平行な線によって形成されることで、閉鎖セルボードの１本の共通の軸に平行なスリットを形成し、該スリットが第２のライナーシートを貫通せず、該Ｕ字型チャネルおよび／またはスリーブは、閉鎖セルボードの第１のライナーシートと中核を貫通するように切り込まれた平行なスリットに沿って折り畳むことによって形成される分割部の形態の外側のコーナー縁部を有し、該スリットは第２のライナーシートを貫通しない。
【００４２】
好ましくは上記の容器は、蓋として作用する別のＵ字型チャネルを含むことができる。
【００４３】
保護用包装システム
本発明はまた、安価な代替の、しかも効果的な保護用の包装システムを提供し、これは、例えば平坦なスクリーンＴＶまたはコンピュータなどの対象物をいわば保護することを目的としており、これはポリスチレンに替わることができる。
【００４４】
本発明のさらに別の態様によって、保護用包装システムが提供されており、このシステムは、
−  概ね上記に記載され、使用中対象物の少なくとも１つの縁部または側部ならびに１つの面を保護することができる少なくとも１つの保護シュラウドを含む。
【００４５】
保護用包装システムは概ね上記に記載される通りであって、保護シュラウドは、Ｕ字型チャネルまたはスリーブとして形成される少なくとも１つの平面と、少なくとも１つの縁部とを有する。
【図面の簡単な説明】
【００４６】
【図１】本発明の好ましい一実施形態によるコーナーボードの形態の保護縁部を示す図である。
【図２】図１のコーナーボードにするように折り畳む準備がされたスリットを形成するために切り込まれた特定の長さの閉鎖セルボードの断面図である。
【図３】本発明の好ましい一実施形態による、中核の片側により強固なライナーシートを有し、図１のものと似たコーナーボードにするように折り畳む準備がされたスリットを形成するために切り込まれた特定の長さの閉鎖セルボードの断面図である。
【図４】パレット上に置かれた包装された製品の縁部を保護する本発明のコーナーボードを示す図である。
【図５】図１のコーナーボードを通る横断面図である。
【図６】本発明の別の好ましい実施形態よるＵ字型チャネルの形態の保護縁部を示す図である。
【図７】図６に示される保護縁部から製造され、スリーブの形態のシュラウドから製造された箱の前面図である。
【図８】本発明の好ましい一実施形態によるスリーブの形態のシュラウドの一部の斜視図である。
【図９】図１０に描かれるように、本発明の好ましい一実施形態による包装システムに関するシート状のシュラウドの線Ａ−Ａに沿った断面図である。
【図１０】矢印Ｂによって示される方向から見た、図９のシート状シュラウドの底面図である。
【図１１】本発明の好ましい一実施形態による包装システム用の細長いＵ字型チャネルの形態の保護シュラウドであり、これを使用して図１２に示されるように、図９および図１０の包装システムを完成させる保護シュラウドを示す図である。
【図１２】図１０のシュラウドの線Ａ−Ａで切り込まれた平坦なパネルＴＶを保護する図９の包装システムの断面図であり、図１１のＵ字型チャネルがどのようにＴＶの反対側を保護するかを図示する図である。
【図１３】本発明の好ましい一実施形態による二重にコーナーボードが配置される形態の保護シュラウドの概略断面図である。
【図１４】スリーブの形態の保護シュラウドの概略断面図であり、スリーブが、Ｃｏｒｃｅｌによって製造される３Ｃ（登録商標）ボードの１枚のシートから形成された多層の壁を有する図である。
【図１５】図１３の多層の壁で囲まれたスリーブ用の素材板になるように切断されたＣｏｒｃｅｌの３Ｃ（登録商標）ボードのシートの概略断面図である。
【図１６】本発明の別の好ましい一実施形態によるＴＶ用の保護用包装システムの概略図である。
【発明を実施するための形態】
【００４７】
図１に関して、全体を矢印１００によって示されるコーナーボードの形態の保護縁部が提供されている。コーナーボード１００は、第１の側部１と、第２の側部２とを有し、これらは長手方向の分割部の両側にある。ここに見ることができるように、分割部３は、コーナーの外側縁部を形成しており、この場合第１および第２の側部１、２は互いに隣接している。
【００４８】
図２に示されるように、Ｃｏｒｃｅｌの３Ｃ（登録商標）板ボードの形態の閉鎖セルボードのストリップ９０が、第１のライナーシート１０００に沿って中核３０００を貫通し、第２の外装シート２０００を貫通しないように１本の線を切り込むことでスリット３００を形成した後、第１の側部１と第２の側部２が形成される。スリット３００は好ましくは、例えば回転ブレードなどの切断装置によって形成され、このブレードは、ストリップ９０の中央の長手方向軸に沿って進む。スリット３００が形成されると、ストリップ９０を折り畳むことでスリット３００を開いて分割部３を形成し、第１の側部１と第２の側部２の間にほぼ９０°の角度を形成することで、図１に示されるコーナーボード１００を形成する。
【００４９】
図３においてストリップ９０は、第１のライナーシート１０００と、中核３０００と、ＥＶＡ接着剤によって合わせて接着された２枚のクラフト紙のシート２００１および２００２から製造された積層体の形態の第２のライナーシート２０００とを有する閉鎖セルボードから形成されている。
【００５０】
使用する際コーナーボード１００は、図４を参照するとパレット３００（図示せず）上の包装された物品２００を積み重ねたものの縁部に沿って配置される。コーナーボード１００は、プラスチック製のポリプロピレン製のひも４００によって積み重ねたもの２００の縁部に対して保持される。引っ張られたときに見ることができるように、ひも材料４００は、対向する頂部縁部１ａおよび２ａと、中核の壁１ｂおよび２ｂとを押しつぶし、これらが互いに対して移動することで第２の外装シート２を保護する。
【００５１】
図５は、図１ならびに図４ａおよび４ｂのコーナーボード１００を通る断面図を示しており、より詳細なスリット３を図示しており、ここから分かるように中核の壁１ｂおよび２ｂが第２のライナーシート２０００に向かって集束しており、これらは、幅の狭い対象物以外の何かが第２のライナーシート２０００に接触することができる可能性を小さくする助けをする。パレット上に積み重ねられた積み荷を保護するコーナーボードを損傷させる大抵の衝撃は、搬送および積み荷／荷下ろし作業中に鋭利な縁部というよりむしろ面に接触することによって生じる。よって壁１ｂおよび２ｂをつぶすことで、大半の衝撃を吸収し、本発明のコーナーボードが効果的な遮蔽物を提供することが可能になる。
【００５２】
いくつかの別の好ましい実施形態では、さらなる保護が必要になる場合、２つ以上の重ね合わされたコーナーボードが利用される。上記の背景技術の段落で考察した従来の「接着されたコーナーボード」に対して、本発明のコーナーボードを製造することによってコスト削減が実現することからして、重ね合わせる解決法は、極めてコスト競争力がある。
【００５３】
図６において、Ｕ字型チャネル１０００の形態のシュラウドが示されており、これはベース１００３によって接合された２つの対向する側壁１００１と１００２を有する。壁１００１および１００２は当初ベース１００３と同一面内にあったが、第１のライナーシート１００４と中核１００５を貫通するように分割部１００１ａおよび１００２ａが形成された後、側壁１００１および１００２が、ベース１００３の面に対してほぼ直角に折り畳まれてチャネルを形成する。
【００５４】
図７において、スリーブ２００２ａおよび２００２ｂから形成された本体２００１を有する箱２０００が示されており、これらのスリーブは図８に示されるものと同様である。箱２０００はまた、蓋２００３とベース２００４も有する。蓋２００３とベース２００４は、図６に関連して上記で考察したようにＵ字型チャネルの形態である。
【００５５】
図８において、スリーブ８０００が示されており、これは図６のＵ字型チャネルに関して記載したのどほぼ同様のやり方で形成された４つの壁８００１〜８００４を有する。
【００５６】
図９において、保護シート状シュラウド９０００（図１０に示される）の線Ａ−Ａに沿った断面図が示されており、このシュラウドは、Ｃｏｒｃｅｌの３Ｃ（登録商標）板ボードの形態の閉鎖セルボードの１枚のシートから製造されている。シュラウド９０００は、平坦な部分９００１を有しており、スリーブ９００２の形態の縁部によって境界が定められている。スリーブ９００２は、スリーブの外側コーナーを形成する分割部９００３を有する。平坦なパネルＴＶをスリーブ９００２によって形成された境界の範囲内に置くことができ、これは図１２も参照されたい。
【００５７】
図１０は、平坦なパネルＴＶを保護するための保護用包装システムの一部を示している。保護用包装システムは、図９に示されるシュラウドから製造される第１の保護構成要素９０００を有し、これは、ＴＶの前方スクリーン、頂部、側部および底縁部を保護する。ＴＶの後部は、細長いＵ字型チャネル１０００２の形態の第２の保護構成要素によって保護され、このチャネルは、平坦なベース１０００３と、図１１に示されるベース９００３から延出する２つの側部１０００４とを有する。Ｕ字型チャネル１０００２の側部１０００４は、図１２に示されるようにＴＶ（図示せず）の側部と、第１の保護構成要素９０００のスリーブ９００２（図１０に点線で描かれる）の間にうまく嵌まる。
【００５８】
図１３において、内側コーナーボード１２０１と、外側コーナーボード１２０２を有する二重のコーナーボードの配置１２００が示されている。これらのコーナーボードは、図１に関連して示し考察したものと同様である。内側と外側コーナーボードは、互いに接着されている。
【００５９】
図１４において、多層の壁で囲まれたスリーブ１３００が示されており、これは１枚のシート（素材板）１３０１（図１５に示される）で形成されている。スリーブ１３００は、素材板１３０１にあるスリット１３０３が折り畳まれてスリーブを形成する際に形成される分割部１３０２の形態の外側コーナーを有する。素材板１３０１は、第１のライナーシート１３０４と中核１３０５を貫通するようにスリット１３０３を切り込むことによって形成される。スリット１３０３は、第２のライナーシート１３０６を貫通しない。スリーブ１３００および素材板１３０１の対応する壁の部分は、文字Ａ〜Ｈとして示されている。
【００６０】
代替のＴＶの保護用包装スリーブ１６００が、図１６に示されている。システムは、２つのシートライナーシュラウド１６０１および１６０２で構成されている。
【００６１】
図９〜１２および図１６の保護用包装システムは、ポリスチレンの代用品として箱の中へと摺動するインサートであると想定される。
【００６２】
本発明を実装する方法の詳細な考察
新規のボード
好ましい実施形態において、第２のライナーシートは、２枚の以上の紙のシートの積層体の形態であってよく、第１のライナーシートは、１枚の紙のシートであってよい。
【００６３】
いくつかの他の実施形態において、第２のライナーシートは、第１のライナーシートのものより強固である／厚みのある１枚の紙のシートの形態であってよい。
【００６４】
保護縁部ならびに／あるいはスリーブまたはＵ字型チャネルの製造方法
好ましくは、閉鎖セルボードは、Ｃｏｒｃｅｌによって製造される３Ｃ（登録商標）ボードであってよい。
【００６５】
他の好ましい実施形態では、閉鎖セル複合ボードは、Ｘボードまたは蜂の巣状の板ボードであってよい。
【００６６】
しかしながら、コアフルートまたはフォームコアなどの他の閉鎖セルボードを使用することもできる。
【００６７】
閉鎖セルボードの輪郭は、ユーザの要件によって変わる場合がある。一般に輪郭は、正方形や矩形であり、例えば閉鎖セルボードは、正方形のシート材料の形態あるいはストリップ材料の形態であってよい。
【００６８】
スリットを形成するための切断作業は、ブレードカッターによって実現することができ、このブレードは、第１のライナーシートと中核を貫通するように切断するが、閉鎖セルボードの第２のライナーシートは貫通しないような貫通深さを有するようなブレードの設定を有する。
【００６９】
好ましい実施形態では、スリットがこれに沿って切り込まれる主要な軸は、長手方向軸または横方向軸であってよい。
【００７０】
他の用途に関するいくつかの他の好ましい実施形態では、主要な軸は、対角線または他の傾斜した軸であってよい。
【００７１】
利用／利用方法
好ましい実施形態において、保護縁部は、その外側コーナーを形成する１つのスリットを有するコーナーボードの形態であってよい。スリットの両側にあるコーナーボードの２つの側部を必要に応じて互いに対して概ね１〜１８０°の任意の角度を有するように折り畳むことで、対象物またはその縁部を保護することができる。例えばコーナーボードが１枚の紙と同じ薄さである平坦なシートを保護することを目的とする場合、その２つの側部を互いに対して概ね１８０°で折り畳むことができる。これに対して、例えばコーナーボードが大型の複数の側部を有する対象物を保護することを目的とする場合、２つの側部を折り畳むことで、その間に概ね１°の角度が形成される。
【００７２】
一般に２つの側部を折り畳むことで、その間に概ね９０°の角度を有し、これにより特定の箱の縁部または積み重ねられた箱の集合の縁部を保護することができる。
【００７３】
容器
好ましくは、容器は蓋として作用する別のスリーブを含むことができる。
【００７４】
一実施形態において、容器は、２つのＵ字型チャネルを備える場合があり、これらのチャネルは、一方のＵ字型チャネルが他方のＵ字型チャネルの対応する側壁の少なくとも一部に重なるように構成されている。これらの壁の間に重なる部分があることによって強度が高くなった領域が形成される。
【００７５】
ユーザの要件に従って、容器を形成するのに任意の数のスリーブおよびＵ字型チャネルを使用することができる。
【００７６】
一部の用途では、容器が、化粧箱の中で使用されることで、ポリスチレンと同様の性質の保護包装を実現することができる。
【００７７】
保護シュラウド
シュラウドは、一部の好ましい実施形態では、Ｕ字型チャネルであってよく、これは２つの離間したスリットから形成された折り畳まれたコーナーを有する。
【００７８】
他の実施形態において、シュラウドは、少なくとも３つの離間したスリットから形成されたスリーブであってよい。一般にスリーブは、管状部材であってよく、この部材は、矩形または他の形状の横断面外形を有する。断面形状は、スリットと折り目の数によって決まる。
【００７９】
いくつかの実施形態において、シュラウドは、２つ以上のＵ字型チャネルを備える場合もあり、これらのチャネルが、互いの上に効果的に重ね合わされることで、強度を高めることができる。同様にシュラウドは、隣接するスリーブの内部／周りに嵌合する２つ以上のスリーブを備える場合もある。
【００８０】
代替としてシュラウドは、スリーブの各々の外側層に対してサイズを増大させる壁を形成するために、一定の距離離間された複数の切断部に沿って折り畳むことによって形成された多層の壁で囲まれたスリーブであってよい。
【００８１】
シート状保護用包装システム
対象物を保護するために利用されるシュラウドのタイプおよび保護シュラウドの性質は、保護するために包装すべき対象物およびユーザ要件によって変わる可能性があることが想定される。
【００８２】
本発明の態様は、単なる例によって記載されており、添付の特許請求の範囲の範囲から逸脱することなく、それに対して修正および追加を行なうことができることを理解されたい。
【符号の説明】
【００８３】
１、２  側部
１ａ、１ｂ  中核の壁
１ｂ、２ｂ  頂部縁部
３  分割部
９０  ストリップ
１００  コーナーボード
２００  包装された物品
３００  スリット
４００  ひも材料
１０００、２０００  ライナーシート
１００１、１００２  側壁
１００１ａ、１００２ａ  分割部
１００３  ベース
１００４、１００５  ライナーシート
１２０１、１２０２  コーナーボード
１３００  スリーブ
１３０１  素材板
１３０２  分割部
１３０３  スリット
１３０４、１３０６  ライナーシート
１３０５  中核
１６００  スリーブ
１６０１、１６０２  シートライナー
２０００  箱
２００１、２００２  クラフトシート
２００２ａ、２００２ｂ  スリーブ
２００３  蓋
２００４  ベース
３０００  中核
８０００  スリーブ
８００１、８００２、８００３、８００４  壁
９０００  シュラウド
９００１  平坦な部分
９００２  スリーブ
９００３  分割部
１０００２  保護構成要素
１０００３  ベース
１０００４  側部
【図１】
2013541476.tif 000003
【図２】
2013541476.tif 000004
【図３】
2013541476.tif 000005
【図４】
2013541476.tif 000006
【図５】
2013541476.tif 000007
【図６】
2013541476.tif 000008
【図７】
2013541476.tif 000009
【図８】
2013541476.tif 000010
【図９】
2013541476.tif 000011
【図１０】
2013541476.tif 000012
【図１１】
2013541476.tif 000013
【図１２】
2013541476.tif 000014
【図１３】
2013541476.tif 000015
【図１４】
2013541476.tif 000016
【図１５】
2013541476.tif 000017
【図１６】
2013541476.tif 000018
【手続補正書】
【提出日】平成24年12月19日(2012.12.19)
【手続補正１】
【補正対象書類名】特許請求の範囲
【補正対象項目名】全文
【補正方法】変更
【補正の内容】
【特許請求の範囲】
【請求項１】
平面と、中核の両側に第１および第２のライナーシートを含む閉鎖セルボードのシートから製造される保護シュラウドであって、前記平面の少なくとも１つの縁部に沿って形成されるのが、
−２つの平行なスリットから形成される少なくとも１つのＵ字型チャネルおよび／または、
−３つ以上の平行なスリットから形成される少なくとも１つのスリーブであり、
前記スリットが、前記閉鎖セルボードの前記第１のライナーシートと中核を貫通するように切り込まれ、前記スリットが前記縁部に平行であり、前記スリットが、前記第２のライナーシートを貫通せず、前記Ｕ字型チャネルおよび／または前記スリーブが、前記閉鎖セルボードの前記第１のライナーシートと中核を貫通するように切り込まれた前記平行なスリットに沿って折り畳むことによって形成される分割部の形態の外側コーナー縁部を有することを特徴とする保護シュラウド。
【請求項２】
対象物または対象物の縁部を保護する目的で、請求項１に記載された閉鎖セルボードのシートから製造された保護シュラウドの利用。
【請求項３】
−容器の本体部分を形成する少なくとも１つのスリーブと、
−容器のベースを形成する少なくとも１つのＵ字型チャネルと、
を備える閉鎖セルボードの容器であって、
前記スリーブと前記Ｕ字型チャネルが、前記閉鎖セルボードの前記第１のライナーシートと中核を貫通するように切り込まれた平行な線によって形成されることで、前記閉鎖セルボードの１本の共通の軸に平行なスリットを形成し、前記スリットが、前記第２のライナーシートを貫通せず、前記Ｕ字型チャネルおよび／またはスリーブが、前記閉鎖セルボードの前記第１のライナーシートと中核を貫通するように切り込まれた前記平行なスリットに沿って折り畳むことによって形成される分割部の形態の外側コーナー縁部を有することを特徴とする閉鎖セルボードの容器。
【請求項４】
保護用包装システムであって、
−使用中、対象物の少なくとも１つの縁部または側部ならびに１つの面を保護することができることを特徴とする、請求項１〜３のいずれか一項に記載の少なくとも１つの保護シュラウドを含む保護用包装システム。
【請求項５】
前記保護シュラウドが、Ｕ字型チャネルまたはスリーブとして形成される少なくとも１つの平面と、少なくとも１つの縁部と、を有することを特徴とする、実質的に請求項４に記載される保護用包装システム。
【国際調査報告】
2013541476.tif 000019
2013541476.tif 000020
2013541476.tif 000021
2013541476.tif 000022